(57)【要約】【課題】  メールを受信する端末装置で、受信メールの添付情報に関する自動実行処理における安全性を高める。【解決手段】  メールを受信する端末装置では、自動実行指定内容記憶手段６がメールアドレスとメールの添付情報に関する自動実行処理を実行するか否かについて指定するフラグデータとを対応付けて記憶し、自動実行制御手段４が受信したメールから抽出される送信者のメールアドレスと自動実行指定内容記憶手段６に記憶されたメールアドレス及びフラグデータに基づいて当該受信メールの添付情報に関する自動実行処理の実行を制御する。【選択図】      図１
2008077681.tif 000002
【特許請求の範囲】
【請求項１】
メールを受信する携帯電話装置において、
ユーザの操作により、受信メールの画像及びメロディを含む添付情報の種類毎に自動実行処理を実行するか否かかのデータをメールアドレスに対応付けて記憶する自動実行指定内容記憶手段と、
受信したメールから抽出される送信者のメールアドレスと自動実行指定内容記憶手段に記憶されたメールアドレス及びユーザの操作により設定された添付情報の種類毎の自動実行処理を実行するか否かのデータに基づいて当該受信メールの添付情報に関する自動実行処理の実行を制御する自動実行制御手段と、
を備えたことを特徴とする携帯電話装置。
【発明の詳細な説明】
【技術分野】
【０００１】
本発明は、メールを受信する端末装置に関し、特に、受信メールの添付情報に関する自動実行処理における安全性を高める端末装置に関する。
【背景技術】
【０００２】
例えば無線携帯電話端末装置などの端末装置では電子メールなどのメールを送信することや受信することが行われている。また、メールには、ファイルを添付することや、画像を取得するためのＵＲＬ（Uniform Resource Locator）などのアドレスを添付することが行われている。
【０００３】
無線携帯電話端末装置などの設定におけるメールの添付ファイルや画像取得の扱いとしては、メールの開封時に自動実行を行うか或いは自動実行を行わないかを選択的に設定することが行われている。ここで、自動実行としては、例えば、添付ファイルを再生することや画像を取得することが無線携帯電話端末装置などにより自動的に実行される。
【０００４】
具体的には、ユーザは、自動実行を望む場合には、自動実行を行うように無線携帯電話端末装置などに設定を行う。
これに対して、ユーザは、例えばメールの開封と同時に添付ファイルに係るメロディを鳴らしてしまうなどの処理を自動的に実行してしまったり或いはアクセスしたくないインターネットのサイトに勝手にアクセスしてしまったりなどということが無いようにすることを望む場合には、自動実行を行わないように無線携帯電話端末装置などに設定を行う。
【０００５】
ここで、従来技術の例として、特開２００１−１４７８７１号公報に記載の「電子メールシステムおよび電子メール再生方法」や、特開２０００−２８５０４７号公報に記載の「携帯情報端末装置、情報処理方法及び媒体」では、電子メールに添付されたファイル（添付ファイル）を自動的に再生することが行われる。なお、後述する本発明と比較すると、これらの文献には例えばメールアドレスに基づいて受信メールの添付ファイルの再生などを制御することについては記載されておらず、本発明とは相違する。
【発明の開示】
【発明が解決しようとする課題】
【０００６】
しかしながら、上記のような従来の無線携帯電話端末装置などでは、メールの添付ファイルや画像取得などの自動実行に関して、安全性が不十分であるといった不具合があり、このような点でユーザの使い勝手を向上させることが必要であった。
【０００７】
具体的には、例えば、自動実行を行うことが設定されているときには、知らない者からの迷惑メールやいたずらメールに添付されているファイルを不用意に実行してしまうことや、知らないサイトに勝手にアクセスしてしまうことなどが発生してしまって問題である。一方、自動実行を行わないことが設定されているときには、例えば信頼している人からのメールに添付された情報についても、メールを開封して、添付ファイルなどを選択して、当該添付ファイルなどを実行する、という手順を実現するための操作がユーザにとって必要となってしまって面倒である。
【０００８】
また、自動実行を行わないことが設定されている場合において、例えばメールを開封した時にカーソルが当該メールの添付ファイルやアクセス先アドレス（アンカー）に当たっていて他の操作と同じボタンの押下などでこれらを実行してしまうような状態があると、いくら自動実行を行わない設定であるとは言っても、ユーザの操作の慢性化などによって間違って実行されてしまうことが発生してしまって望ましくない。
【０００９】
本発明は、このような従来の課題を解決するためになされたもので、受信メールの添付情報に関する自動実行処理における安全性を高めることができる端末装置を提供することを目的とする。
【課題を解決するための手段】
【００１０】
上記目的を達成するため、本発明に係る端末装置では、メールを受信する機能を有し、次のようにして、受信メールの添付情報に関する自動実行処理の実行を制御する。
すなわち、自動実行指定内容記憶手段がメールアドレスとメールの添付情報に関する自動実行処理を実行するか否かについて指定するフラグデータとを対応付けて記憶し、自動実行制御手段が受信したメールから抽出される送信者のメールアドレスと自動実行指定内容記憶手段に記憶されたメールアドレス及びフラグデータに基づいて当該受信メールの添付情報に関する自動実行処理の実行を制御する。
【００１１】
従って、受信したメールから抽出される送信者のメールアドレスに基づいて当該受信メールの添付情報に関する自動実行処理を実行するか否かが制御されるため、例えば自動実行処理を実行することがユーザにより設定されたメールアドレスからのメールについてのみ自動実行処理を実行することにより、自動実行処理における安全性を高めることができ、このような点でユーザの使い勝手を向上させることができる。
【００１２】
ここで、端末装置としては、例えば携帯電話装置やパーソナルコンピュータなどの種々な装置に適用されてもよい。また、端末装置によりメールを受信する機能としては、例えば無線により受信する機能が用いられてもよく、或いは、有線により受信する機能が用いられてもよい。
【００１３】
また、メールとしては、例えばインターネットを介して通信される電子メールや、同じ機種の携帯電話装置などの間で通信されるメールなどの種々なメールが用いられてもよい。
また、メールアドレスとしては、種々なアドレスが用いられてもよい。
また、メールの添付情報としては、例えばメールに添付されたファイル（添付ファイル）や、メールに添付されたＵＲＬなどのアドレス（添付アドレス）などの種々な情報が用いられてもよい。なお、メールの添付情報は、例えばメールとは別体で添付されてもよく、或いは、メール中に一体化されて添付されてもよい。
【００１４】
また、メールの添付ファイルとしては、例えばテキストや音声や画像などの種々な情報を有するファイルが用いられてもよい。
また、メールの添付情報に関する自動実行処理としては、例えば、メールの添付ファイルを再生する処理や、メールの添付アドレスへアクセスする処理や、メールの添付アドレスへアクセスして所定の画像などの情報を取得する処理などの種々な処理が用いられてもよい。自動実行処理では、このような処理が、例えばユーザの操作により直接的に指示されなくとも、メールの開封などを契機として端末装置により自動的に実行される。
【００１５】
なお、添付ファイルを再生する処理としては、例えば添付ファイルが有するテキストや画像の情報を画面に表示出力する処理や、添付ファイルが有する音声の情報をスピーカから音声出力する処理などが用いられる。
【００１６】
また、フラグデータとしては、種々なデータが用いられてもよく、例えば自動実行処理を実行することを指定するデータや或いは自動実行処理を非実行とすること（つまり、実行しないこと）を指定するデータが用いられ、また、例えば自動実行処理を実行するか否かについては設定されていない状態を指定するようなデータが用いられてもよい。
また、自動実行指定内容記憶手段としては、例えば情報を記憶するメモリを用いて構成される。
【００１７】
また、受信したメールから抽出される送信者のメールアドレスとしては、種々なメールアドレスが用いられてもよく、例えば受信したメールを当該受信者宛に送信した者のメールアドレスを用いることができ、また、例えば受信したメールが何回か転送（送信）されているような場合には、最初の送信者のメールアドレスや或いは他のいずれかの転送者（送信者）のメールアドレスを用いることもできる。
【００１８】
また、受信したメールから送信者のメールアドレスを抽出する仕方としては、種々な仕方が用いられてもよく、例えばメールを構成するデータの中で送信者のメールアドレス或いは転送者のメールアドレスを含むことが設定されている位置からメールアドレスを抽出する仕方や、或いは、例えば電子メールのメールアドレスに含まれる“＠”を含む文字列部分を検索してメールアドレスとして抽出する仕方などを用いることができる。
【００１９】
また、自動実行制御手段は、例えば、受信したメールから抽出される送信者のメールアドレスと一致するメールアドレスが自動実行指定内容記憶手段に記憶されており且つ当該メールアドレスに対応付けられて自動実行処理を実行することを指定するフラグデータが当該自動実行指定内容記憶手段に記憶されている場合に当該受信メールの添付情報に関する自動実行処理を実行する。そして、自動実行制御手段は、他の場合には自動実行処理を非実行とする（つまり、実行しない）態様により、自動実行処理の実行を制御する。ここで、他の場合としては、受信したメールから抽出される送信者のメールアドレスと一致するメールアドレスが自動実行指定内容記憶手段に記憶されていない場合や、或いは、記憶されていても自動実行処理を非実行とすることを指定するフラグデータが対応付けられて自動実行指定内容記憶手段に記憶されている場合がある。
【００２０】
また、自動実行制御手段は、例えば、添付情報を有するメールが受信されたときや、又は、添付情報を有するメールが初めて開封されたとき或いは開封後に再び表示されたときなどに、自動実行処理の実行を制御する。ここで、メールが開封されたときとしては、例えばユーザの操作によりメールの内容が表示されるように指示されたときなどが用いられる。
【００２１】
以下で、メールの添付情報に関する自動実行処理の実行の制御に関して、他の構成例を示す。
一例として、メールを受信する端末装置において、メールアドレスについてメールの添付情報に関する自動実行処理を実行するか否かについての指定内容を管理する自動実行指定内容管理手段と、自動実行指定内容管理手段により管理される指定内容に基づいて受信したメールから抽出される送信者のメールアドレスについてメールの添付情報に関する自動実行処理を実行することが指定されている場合に当該受信メールの添付情報に関する自動実行処理を実行する自動実行制御手段と、を備えた。
【００２２】
ここで、自動実行指定内容管理手段により自動実行処理を実行するか否かについての指定内容を管理する仕方としては、種々な仕方が用いられてもよい。
具体例として、自動実行指定内容管理手段は、メールアドレスを記憶するメールアドレス記憶手段を有し、当該メールアドレス記憶手段に記憶されたメールアドレスについてメールの添付情報に関する自動実行処理を実行することが指定されたとして管理する。そして、自動実行制御手段は、受信したメールから抽出される送信者のメールアドレスと一致するメールアドレスが自動実行指定内容管理手段のメールアドレス記憶手段に記憶されている場合に当該受信メールの添付情報に関する自動実行処理を実行する。なお、メールアドレス記憶手段としては、例えば情報を記憶するメモリを用いて構成される。
【００２３】
また、以下で、メールの添付情報に関する実行処理の実行を制御する端末装置の構成例を示す。
一例として、受信したメールの添付情報に関する実行処理を実行する機能を有する端末装置において、ユーザにより操作可能な複数のキーと、複数のキー操作の中からランダムに選択されたキー操作をユーザに対して報知して当該報知したキー操作がユーザにより行われた場合に受信メールの添付情報に関する実行処理を実行する実行制御手段と、を備えた。また、このような端末装置において、更に、情報を表示する表示手段を備えた。
【００２４】
従って、このような端末装置では、受信したメールの添付情報に関する実行処理の実行をユーザにより指示するためのキー操作がランダムに選択されるため、例えばユーザの操作の慢性化などによって間違って実行処理が実行されてしまうようなことを防止することができ、これにより、受信メールの添付情報に関する実行処理における安全性を高めることができる。
【００２５】
ここで、キーとしては、種々なものが用いられてもよく、例えばボタン状のキーやスティック状のキーなどを用いることができる。
また、複数のキーの数としては、種々な数が用いられてもよい。
また、キー操作としては、種々な操作が用いられてもよく、例えば１つのキーの押下などの１回の操作が用いられてもよく、或いは、１つのキーの複数回の操作や、複数のキーの操作の組み合わせなどが用いられてもよい。
【００２６】
また、複数のキー操作の中から１つのキー操作をランダムに選択する仕方としては、例えば一般的な仕方として擬似乱数を用いて選択する仕方などを用いることができる。
また、選択されたキー操作をユーザに対して報知する仕方としては、例えば表示手段による表示を用いて報知する仕方や、選択されたキー操作に対応するキーを発光させることにより報知する仕方や、音声出力を用いて報知する仕方などの種々な仕方を用いることができる。
また、表示手段としては、例えば液晶の画面などの種々なものを用いて構成することができる。
【００２７】
また、メールの添付情報に関する実行処理としては、例えば、メールの添付ファイルを再生する処理や、メールの添付アドレスへアクセスする処理や、メールの添付アドレスへアクセスして所定の画像などの情報を取得する処理などの種々な処理が用いられてもよい。実行処理（非自動実行処理）では、このような処理が、例えばユーザの操作により直接的に指示されたことに応じて、端末装置により実行される。
【００２８】
また、一構成例として、実行制御手段は、複数のキー操作の中からランダムにキー操作を選択するキー操作選択手段と、キー操作選択手段により選択されたキー操作をユーザに対して報知するキー操作報知手段と、キー操作報知手段により報知されたキー操作がユーザにより行われた場合に受信メールの添付情報に関する実行処理を実行する実行手段とを用いて構成される。
【００２９】
ここで、キー操作選択手段は、例えば、添付情報を有するメールが受信されたときや、又は、添付情報を有するメールが初めて開封されたとき或いは開封後に再び表示されたときなどに、キー操作の選択を行う。
【００３０】
また、このようにメールの添付情報に関する実行処理に係るキー操作をランダムに選択する構成を本発明に係るメールの添付情報に関する自動実行処理の実行を制御する構成と組み合わせることも可能である。
一例として、本発明に係る端末装置では、メールの添付情報に関する自動実行処理を非実行とすることが指定されている送信者のメールアドレスが抽出された受信メールについて、複数のキー操作の中からランダムに選択されたキー操作をユーザに対して報知して当該報知したキー操作がユーザにより行われた場合に当該受信メールの添付情報に関する実行処理を実行する実行制御手段（非自動実行制御手段）を備える。なお、端末装置には、例えば、ユーザにより操作可能な複数のキーや、情報を表示する表示手段が備えられる。
【００３１】
従って、このような端末装置では、例えば、受信したメールの添付情報に関して、自動実行処理を実行することが指定されている場合には当該自動実行処理を実行する一方、自動実行処理を実行することが指定されていない場合にはランダムに選択されたキー操作をユーザに対して報知して、当該報知したキー操作がユーザにより行われたときには当該受信メールの添付情報に関する実行処理を実行し、また、当該キー操作がユーザにより行われなかったときには当該実行処理を実行しない、といった制御が実現される。
【００３２】
また、以上に示したような端末装置は、例えば移動体通信システムなどの種々な通信システムに適用することが可能である。
一例として、以上のような端末装置は、携帯型の無線端末装置として構成され、更に具体的な例として、携帯電話システムや簡易型携帯電話システム（ＰＨＳ：Personal Handy phone System）などで用いられる携帯電話装置として構成される。
【発明の効果】
【００３３】
以上説明したように、本発明に係る端末装置では、メールを受信する機能を有した構成において、メールアドレスとメールの添付情報に関する自動実行処理を実行するか否かについて指定するフラグデータとを対応付けて記憶し、受信したメールから抽出される送信者のメールアドレスと当該記憶されたメールアドレス及びフラグデータに基づいて当該受信メールの添付情報に関する自動実行処理の実行を制御するようにしたため、例えば自動実行処理を実行することがユーザにより設定されたメールアドレスからのメールについてのみ自動実行処理が実行されることにより、自動実行処理における安全性を高めることができる。
【発明を実施するための最良の形態】
【００３４】
本発明に係る実施例を図面を参照して説明する。
図１には、本発明を適用した携帯無線端末装置として携帯電話装置の構成例を示してあり、本例の携帯電話装置には、アンテナ１と、無線部２と、ベースバンド信号処理部３と、タイマ２１を有する制御部４と、ＲＯＭ（Read Only Memory）５と、ＲＡＭ（Random Access Memory）６と、キー入力部７と、選択キー部８と、表示部９と、音声処理部１０と、マイク１１と、スピーカ１２と、リンガ１３とが備えられている。
【００３５】
アンテナ１は、無線信号の送受信を行う。
無線部２は、送信データを無線信号へ変換してアンテナ１へ出力し、また、アンテナ１により受信した無線信号をデータへ変換する。
ベースバンド信号処理部３は、送信対象となる音声データを特定のデータ列へ変換して無線部２へ出力し、無線部２からの受信データ列を音声データへ変換する。
【００３６】
制御部４は、例えばプログラムコードに基づいて処理を行い、装置全体や電気回路全体の制御などを行う。また、タイマ２１は、時間を計時する機能を有している。
ＲＯＭ５は、携帯電話装置を動作させるためのプログラムコードや携帯電話装置に固有な電話番号（本例の携帯電話装置の電話番号）などを記憶する。
ＲＡＭ６は、キー入力による設定条件や電話帳データや受信データなどを記憶する。
【００３７】
キー入力部７は、ユーザにより操作可能な例えばボタン状の複数のキーから構成されている。
選択キー部８は、ユーザにより操作可能な例えばスティック状の選択キーから構成されている。
ここで、本例の携帯電話装置の所有者（ユーザ）は、キー入力部７や選択キー部８を操作することにより、データを携帯電話装置へ入力することなどができる。
表示部９は、電話番号などのデータを画面に表示する。
【００３８】
音声処理部１０は、マイク１１から入力される音声の電気信号（音声電気信号）や、スピーカ１２へ出力する音声電気信号を処理する。
マイク１１は、音響信号（音声）を音声電気信号へ変換して音声処理部１０へ出力する。
スピーカ１２は、音声処理部１０から入力される音声電気信号を音響信号へ変換して出力する。
ここで、ユーザは、音声をマイク１１から携帯電話装置へ入力することや、スピーカ１２から出力される音声を聞くことができる。
リンガ１３は、呼び出し音などを発生する。
【００３９】
図２には、本例の携帯電話装置に記憶されるアドレス帳の内容の一例を示してあり、本例のアドレス帳では、識別番号（“メモリＮｏ．”）と、“名前”と、“電話番号”と、“メールアドレス”と、メールの添付ファイルに関する自動実行処理を実行するか否かの指定内容（“添付ファイル自動実行”）と、メールの添付メロディに関する自動実行処理を実行するか否かの指定内容（“メロディ自動実行”）と、メールの添付アドレスに関する画像を自動的に取得する自動実行処理を実行するか否かの指定内容（“画像自動取得”）などが対応付けられて格納されている。
【００４０】
一例として、同図に示したアドレス帳では、メモリＮｏ．“１”と、“川田太郎”という名前と、“０９０ＸＸＸＸＹＹＹＹ”という電話番号と、“ｔａｒｏ＠ｄｏ．ｎｅ．ｊｐ”というメールアドレスと、添付ファイル自動実行を“する”という指定内容と、メロディ自動実行を“しない”という指定内容と、画像自動取得を“する”という指定内容などが対応付けられている。
【００４１】
なお、本例では、メールに添付されたメロディ情報のファイルについては添付メロディと言い、メールに添付された画像取得のためのＵＲＬなどのアドレス情報については添付アドレスと言い、メールに添付されたテキスト情報などの他の情報のファイルについては添付ファイルと言う。
【００４２】
本例のアドレス帳では、各メールアドレスに対して、添付ファイルや添付メロディや添付アドレスのそれぞれに関して自動実行を行うかどうかを設定することができ、当該アドレス帳は当該設定内容を保存する。なお、本例では、安全性を高めるために、デフォルト（初期状態）においてはいずれの自動実行処理についても実行しない状態とし、ユーザがキーを操作して設定を変更することで自動実行が有効となるようにする。また、本例では、アドレス帳に格納されていない送信元（メールアドレス）から受信されるメールに関しては全てについて自動実行を行わない設定とする。
【００４３】
ここで、本例のアドレス帳では、添付ファイル自動実行やメロディ自動実行や画像自動取得についての設定値として、自動実行処理を実行することを指定する“する”というフラグデータと、自動実行処理を非実行とする（つまり、実行しない）ことを指定する“しない”というフラグデータとの２つを用いたが、他の構成例として、“標準”というフラグデータも設けて、アドレス帳内の各メールアドレスに対する全ての自動実行処理についてのデフォルトにおける設定値を“標準”とし、添付ファイルや添付メロディや画像自動取得のそれぞれについてデフォルトである“標準”に対して“する”や“しない”というフラグデータを設定することができるような構成とすることもできる。
【００４４】
また、他の構成例として、アドレス帳内の各メールアドレス毎にフラグを設けるのではなく、アドレス帳に含まれているメールアドレスについては“標準”というフラグデータが設定されているとみなし、含まれていないメールアドレスについては“しない”というフラグデータが設定されているとみなすような構成とすることもできる。
【００４５】
図３には、本例の携帯電話装置によりメールの開封時に行われる動作のフローチャートの一例を示してある。
本例の携帯電話装置では、受信したメールを開封する時に（ステップＳ１）、当該メールの送信元メールアドレスがアドレス帳に存在するものであれば（ステップＳ２）、添付ファイル、添付メロディ、添付アドレスに関する各フラグデータを一時的にメモリ（例えば、ＲＡＭ６）に記憶する（ステップＳ３）。そして、当該メールに添付ファイルがある場合には（ステップＳ４）、添付ファイル用のフラグを確認して当該フラグが自動実行を“する”という設定であれば（ステップＳ５）、添付ファイルに関する自動実行を行う（ステップＳ６）。
【００４６】
また、添付メロディや添付アドレスに関しても同様な動作を行う。
具体的には、当該メールに添付メロディがある場合には（ステップＳ７）、添付メロディ用のフラグを確認して当該フラグが自動実行を“する”という設定であれば（ステップＳ８）、添付メロディに関する自動実行を行う（ステップＳ９）。また、当該メールに添付アドレスがある場合には（ステップＳ１０）、添付アドレス用のフラグを確認して当該フラグが自動実行を“する”という設定であれば（ステップＳ１１）、添付アドレスに関する自動実行を行う（ステップＳ１２）。そして、当該メールの本文などの内容を表示する（ステップＳ１３）。
【００４７】
なお、添付ファイルに関する実行処理としては例えば添付ファイルが有するテキストの内容を表示することが行われ、添付メロディに関する実行処理としては例えば添付メロディが有するメロディを鳴らすことが行われ、添付アドレスに関する実行処理としては例えば添付アドレスが有するアドレスに対してアクセスして当該アドレスのサイトから画像を取得することが行われる。
【００４８】
図４には、本例の携帯電話装置により、自動実行を行わない設定状態において、メールの開封後に行われる動作のフローチャートの一例を示してある。
本例では、本例の携帯電話装置が、メールのそれぞれの添付データに関して自動実行を行わなかったときにおいて、ユーザの手動により添付データの実行処理が選択されたことに応じて当該実行処理を実行する場合を示す。この場合には、実行処理を指示するための実行ボタンとしては、例えば通常使用されているボタンでは無く、テンキーを、それもランダム関数により決められた数字のテンキーを用いることとし、そして、本例の携帯電話装置は、当該数字のテンキーを点滅表示させたり当該数字を表示部９に表示させたりして、ユーザが当該数字に対応したテンキーを押すことに応じて実行処理を実行する。
【００４９】
具体的には、本例の携帯電話装置では、受信したメールを表示したときに（ステップＳ２１）、添付ファイルがある場合には（ステップＳ２２）、実行処理を指示するためのキーボタン（実行ボタン）をランダムに決定してユーザに対して報知し（ステップＳ２３）、報知した実行ボタンがユーザにより押下されたら（ステップＳ２４）、当該添付ファイルに関する実行処理を実行する（ステップＳ２５）。なお、例えば報知した実行ボタン以外のキーボタンが押下された場合や或いは例えば報知した実行ボタンが所定の時間内に押下されなかった場合などには、本例の携帯電話装置は、当該添付ファイルに関する実行処理を実行しない。
【００５０】
また、添付メロディや添付アドレスに関しても同様な動作を行う。
具体的には、当該メールに添付メロディがある場合には（ステップＳ２６）、実行処理を指示するためのキーボタン（実行ボタン）をランダムに決定してユーザに対して報知し（ステップＳ２７）、報知した実行ボタンがユーザにより押下されたら（ステップＳ２８）、当該添付メロディに関する実行処理を実行する（ステップＳ２９）。また、当該メールに添付アドレスがある場合には（ステップＳ３０）、実行処理を指示するためのキーボタン（実行ボタン）をランダムに決定してユーザに対して報知し（ステップＳ３１）、報知した実行ボタンがユーザにより押下されたら（ステップＳ３２）、当該添付アドレスに関する実行処理を実行する（ステップＳ３３）。
【００５１】
次に、本発明を、電子メール（Ｅメール）を受信する携帯電話装置に適用した場合における動作の一例を示す。
ここで、電子メールとは、ＳＭＴＰ（Simple Mail Transfer Protocol）にしたがってネットワーク上を配送されるメールである。電子メールは、例えば特開２０００−２８５０４７号公報の図などに記載されているように、配送に関する情報などを格納するメールヘッダや、利用者が文章を記述するメール本体（ボディ）から構成され、これらの構造はＲＦＣ（Request For Comments）８２２などで規定されている。
【００５２】
本例では、電子メール（本例において、以下では単にメールと言う）は本例の携帯電話装置により受信されて、ＲＡＭ６に記憶される。ＲＡＭ６には複数のメールを記憶することができ、また、これらのメールの個々の受信時刻や開封状況などを記憶するテーブルも備えている。
利用者（ユーザ）がＲＡＭ６に記憶されている或る一つのメールを開封する操作を行うと、制御部４はそのメールの開封状況を確認して、例えば、初めて開くメールであれば上記図３に示した処理を行い、開封済みのメールであれば上記図４に示した処理を行う。或いは、例えばメールを受信した時点で上記図３に示した処理を行う。
【００５３】
本例における上記図３に示した処理の手順を説明する。
まず、制御部４は「メールを開封しますか？」といったメッセージを表示部９
に表示させ、利用者はキー入力部７を用いて“開封する”という指示或いは“開封しない”という指示を選択する（ステップＳ１）。メールを開封する場合には、制御部４は、ＲＡＭ６が記憶しているアドレス帳から現在のメールの送信者のメールアドレスに一致するものを検索し（ステップＳ２）、一致するメールアドレスがあるときには、アドレス帳にある添付ファイル用などのフラグのデータを取得する（ステップＳ３）。
【００５４】
そして、制御部４は、メールヘッダにあるＣｏｎｔｅｎｔ−Ｔｙｐｅフィールドを検索する。Ｃｏｎｔｅｎｔ−Ｔｙｐｅフィールドはメールにさまざまな形式のファイルを添付して受信側でそれを実行することができるようにするためにＲＦＣ２０４５などで規定されたフィールドであり、コンテンツタイプを示すものである。Ｃｏｎｔｅｎｔ−Ｔｙｐｅフィールドは、添付されたファイルが無くてテキストデータだけで構成されたメールでは“Ｃｏｎｔｅｎｔ−Ｔｙｐｅ：ｔｅｘｔ／ｐｌａｉｎ；”から始まる行になっているが、添付されたファイルがあるメールでは“Ｃｏｎｔｅｎｔ−Ｔｙｐｅ：ｍｕｌｔｉｐａｒｔ／”から始まる行になっているので、これにより、制御部４は添付されたファイルの有無を判断する。
【００５５】
メールに添付されたファイルがある場合には、制御部４は、更に、Ｃｏｎｔｅｎｔ−Ｔｙｐｅフィールドの次の行にあるｂｏｕｎｄａｒｙパラメータの先頭に“――”（２つのハイフン）を追加した文字列から始まる行をメール本体から探す。この行は、メール本来の文章と添付されたファイルが結合されてできたメール本体において、メール本来の文章と添付されたファイルとの間の境目や或いは添付されたファイル同士の間の境目を示すものであり、この行の直後に、個々の添付されたファイルのためのサブヘッダがあり、その後に添付されたファイルが続く構造になっている。サブヘッダには、通常、Ｃｏｎｔｅｎｔ−Ｔｙｐｅフィールドを含んでおり、制御部４は当該Ｃｏｎｔｅｎｔ−Ｔｙｐｅフィールドの値を取得する。
【００５６】
次に、制御部４は、取得したＣｏｎｔｅｎｔ−Ｔｙｐｅフィールドの値により、メロディファイルやＵＲＬ以外のメディアタイプであり且つ本例の携帯電話装置により再生することができるものである例えばテキストデータ等であるかどうかを判断する（ステップＳ４）。具体的には、Ｃｏｎｔｅｎｔ−Ｔｙｐｅフィールドはテキストデータであれば“Ｃｏｎｔｅｎｔ−Ｔｙｐｅ：ｔｅｘｔ／ｐｌａｉｎ；”となっており転送メールであれば“Ｃｏｎｔｅｎｔ−Ｔｙｐｅ：Ｍｅｓｓａｇｅ／Ｒｆｃ８２２；”などとなっているので、これらのメディアタイプのものを「添付テキストファイル等」と判断する。
【００５７】
そして、メールに「添付テキストファイル等」が添付されていると判断された場合には、制御部４は、上記の処理（ステップＳ３）において取得した添付テキストファイル等の自動実行フラグ（“添付ファイル自動実行”）が“する”に相当するときには（ステップＳ５）、添付テキストファイル等の自動実行を行う（ステップＳ６）。
【００５８】
また、メロディファイルについても、同様に、制御部４は、上記の処理（ステップＳ３）において取得したフィールドが“Ｃｏｎｔｅｎｔ−Ｔｙｐｅ：Ａｕｄｉｏ；”で始まる場合には、メロディファイルが添付されていると判断して（ステップＳ７）、更に、メロディファイルの自動再生フラグ（“メロディ自動実行”）が“する”に相当するときには（ステップＳ８）、メロディファイルの自動実行を開始する（ステップＳ９）
【００５９】
また、添付アドレスによる画像取得については、制御部４は、上記の処理（ステップＳ３）において取得したフィールドが“Ｃｏｎｔｅｎｔ−Ｔｙｐｅ：ｍｅｓｓａｇｅ／ｅｘｔｅｒｎａｌ−ｂｏｄｙ；ａｃｃｅｓｓ−ｔｙｐｅ＝ＵＲＬ；”で始まり且つ以降の行に例えば“ＵＲＬ＝ｈｔｔｐ：／／ｗｗｗ．ａ−ｂｃｄｅｆｇｈｉ．ｃｏｍ／ｉｍａｇｅｓ／ｒｏｇｏ＿ｈ．ｊｐｇ”のように記載されるＵＲＬが本例の携帯電話装置により表示可能な形式の画像ファイルの所在を示すものであれば、画像取得のためのＵＲＬの記載があると判断して（ステップＳ１０）、更に、画像自動取得フラグ（“画像自動取得”）が“する”に相当するときには（ステップＳ１１）、画像自動取得を開始する（ステップＳ１２）。
【００６０】
そして、制御部４は、メール本来の文章を表示部９に表示し（ステップＳ１３）、画像の自動取得が行われた場合には当該取得した画像も表示部９に表示する。
以上のように、上記図３に示したステップＳ２以降の各ステップの処理では、利用者によるキー操作を必要とせず、当該各ステップの処理は本例の携帯電話装置により自動的に行われる。
【００６１】
本例における上記図４に示した処理の手順を説明する。この処理は、メールが開封済みである場合に行われる。
まず、制御部４は、メール本来の文章を表示して（ステップＳ２１）、上記図３に示したステップＳ４の処理と同様に「添付テキストファイル等」がメールに添付されているかどうかを判断し（ステップＳ２２）、添付されているときにはランダム関数を用いて例えば０から９までの間で整数の擬似乱数を算出する（ステップＳ２３）。
【００６２】
次に、制御部４は、例えば図５に示すようなダイアログボックスを表示部９に表示することにより算出した乱数の値（図５で示した例では、１）を示すとともに、キー入力部７にある当該乱数の値に対応するキーを点滅表示させ、利用者からの操作を待機する。そして、利用者が当該乱数の値と一致するキーを押下すると（ステップＳ２４）、制御部４は添付テキストファイル等の実行を行い（ステップＳ２５）、一方、利用者がそれ以外のキーを押下すると、制御部４は例えば添付ファイルの実行を希望しないと判断して次の処理（ステップＳ２６）へ移行することや或いは例えば当該キー操作を無効と判断して次のキー操作を待機することを行う。また、添付メロディや添付アドレスについても、添付ファイルと同様な処理が行われる（ステップＳ２６〜ステップＳ３３）。
【００６３】
なお、本例において、上記図３に示したステップＳ２の処理などで用いられるメールの送信者のメールアドレスとしては、例えばメールヘッダのＦｒｏｍフィールドに記述されたメールアドレスに限られなくともよい。
一例として、添付されたファイルがあるメールであり当該添付されたファイルのサブヘッダのＣｏｎｔｅｎｔ−Ｔｙｐｅフィールドが“Ｃｏｎｔｅｎｔ−Ｔｙｐｅ：Ｍｅｓｓａｇｅ／Ｒｆｃ８２２；”である場合には、当該添付されたファイルを転送メールであるとみなして、当該添付されたファイルから転送メールのメールヘッダに含まれるＦｒｏｍフィールドを抽出して、そこに記述されたメールアドレスを送信者のメールアドレスとして併せて用いるような構成とすることもできる。このような構成では、例えば、利用者が携帯電話装置のメールアドレスＡ１のほかに別のメールアドレスＡ２を所有していて、メールアドレスＡ３から送信されたメールをメールアドレスＡ２で一旦受信した後にメールアドレスＡ１へ転送しているような場合においても、当該携帯電話装置では、本来の送信者のメールアドレスがメールアドレスＡ２ではなくメールアドレスＡ３であると判断することができる。
【００６４】
以上のように、本例の携帯電話装置では、メールにファイルなどを添付することを可能とする携帯電話サービスにおいて、受信したメールの開封時における添付ファイルの自動再生や画像の自動取得などの自動実行処理を制限して実行することが行われる。具体的には、本例の携帯電話装置では、受信したメールの添付ファイルなどに関する実行処理を自動的に実行する機能に関して、メールアドレスと添付ファイルなどの自動実行に係るフラグデータとを格納するメモリ６や、受信したメールの送信者のメールアドレスと当該メモリ６に格納されているメールアドレスとフラグデータに基づいて当該受信したメールの添付ファイルなどの自動実行を制御する制御部４を備えた構成において、メモリ６に格納された少なくとも１つのメールアドレスと受信したメールの送信者のメールアドレスとが一致して且つそのフラグデータが自動実行を行うように設定されている場合に、当該受信したメールの添付ファイルなどの自動実行を行う。
【００６５】
また、本例の携帯電話装置では、受信したメールの開封時に添付ファイルなどの自動実行を行わない状態において、例えば添付ファイルを再生する際やインターネット上の任意のサイトに画像取得を目的としてアクセスする際などには、このような実行処理を特別なキー操作に応じて実行することが行われる。具体的には、本例の携帯電話装置では、受信したメールの添付ファイルなどの実行を行う機能に関して、複数のキーから成るキー入力部７や、文字や画像を表示する表示部９や、擬似乱数を算出して当該擬似乱数に対応する情報を少なくとも表示部９かキー入力部７に表示して当該擬似乱数に対応するキーが押下されたときに当該添付ファイルなどに関する実行処理を実行する制御部４を備えた構成において、ランダムに選択されたキー操作が利用者により行われた場合に受信メールの添付ファイルなどの実行を行う。
【００６６】
このように、本例の携帯電話装置では、例えば受信したメールの送信者が信頼できる送信相手であるか或いは信頼できない（例えば、知らない）送信相手であるかを判断して、信頼できる送信相手からの受信メールの添付ファイルなどについてはその実行を自動的に行うようにし、それ以外の受信メールの添付ファイルなどについてはその実行を行うかどうかを利用者により選択させるようにする。また、本例の携帯電話装置では、受信メールの添付ファイルなどの自動実行が行われない場合においては、当該添付ファイルなどの実行時に実行を指示するためのキーがランダムに変化することにより、実行の確認を利用者により確実に行わせることができる。
【００６７】
すなわち、受信したメールの添付ファイルなどの自動実行を行う機能を有した携帯電話装置において、例えば従来では自動実行を行うか否か（“する”或いは“しない”）の設定しかできなかったのに対して、本例の携帯電話装置では、メールの発信者に応じて自動実行を行うか否かを制御することができ、また、メールの発信者が信頼できないような相手である場合には、当該メールの添付ファイルなどの実行の指示をランダムに変化する実行キーの押下により行うようにした。
【００６８】
従って、本例の携帯電話装置では、例えばメールに静止画像や動画像やメロディなどの添付を可能とする携帯電話サービスにおいて、受信したメールの添付ファイルなどの実行に関して携帯電話装置での安全性を高めることができる。具体的には、本例の携帯電話装置では、受信したメールの添付ファイルの再生や画像の自動選択などといった危険を伴う可能性がある動作に関して制限をかけることができ、この点で安全性を向上させることができる。また、本例の携帯電話装置では、信頼している人からのメールに関しては添付されたメロディや画像などを当該メールを開封した時などに自動的に実行して表示などすることができるため、例えば従来と比べて、このような自動実行の効果を損なうことが無いと言える。
【００６９】
なお、本例では、メールアドレスとメールの添付情報に関するフラグデータを対応付けて格納するアドレス帳を記憶するＲＡＭ６の機能により自動実行指定内容記憶手段が構成されており、受信したメールの送信者のメールアドレスやアドレス帳の内容に基づいてメールの添付情報に関する自動実行処理の実行を制御する制御部４の機能により自動実行制御手段が構成されている。
【００７０】
また、本例では、表示部９の機能により表示手段が構成されており、メールの添付情報に関する実行処理の実行を制御する制御部４の機能により実行制御手段が構成されている。
また、本例におけるメールの添付情報に関する実行処理では、制御部４がランダムなキー操作を選択する機能によりキー操作選択手段が構成されており、制御部４が表示部９やキー入力部７に当該選択したキー操作を表示する機能によりキー操作報知手段が構成されており、制御部４が当該報知したキー操作が行われることに応じてメールの添付情報に関する実行処理を実行する機能により実行手段が構成されている。
【００７１】
ここで、本発明に係る端末装置などの構成としては、必ずしも以上に示したものに限られず、種々な構成が用いられてもよい。なお、本発明は、例えば本発明に係る処理を実行する方法や、このような方法を実現するためのプログラムなどとして提供することも可能である。
また、本発明の適用分野としては、必ずしも以上に示したものに限られず、本発明は、種々な分野に適用することが可能なものである。
【００７２】
また、本発明に係る端末装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【図面の簡単な説明】
【００７３】
【図１】本発明の一実施例に係る携帯電話装置の構成例を示す図である。
【図２】アドレス帳の内容の一例を示す図である。
【図３】メールの開封時に行われる処理の手順の一例を示す図である。
【図４】自動実行を行わない設定状態においてメールの開封後に行われる処理の手順の一例を示す図である。
【図５】表示部に表示されるダイアログボックスの一例を示す図である。
【符号の説明】
【００７４】
１・・アンテナ、  ２・・無線部、  ３・・ベースバンド信号処理部、
４・・制御部、  ５・・ＲＯＭ、  ６・・ＲＡＭ、  ７・・キー入力部、
８・・選択キー部、  ９・・表示部、  １０・・音声処理部、
１１・・マイク、  １２・・スピーカ、  １３・・リンガ、  ２１・・タイマ、
【図１】
2008077681.tif 000003
【図２】
2008077681.tif 000004
【図３】
2008077681.tif 000005
【図４】
2008077681.tif 000006
【図５】
2008077681.tif 000007